(57)【要約】【課題】  流し読み専用のガラス、原稿をすくい上げる部材の廃止など、装置の小型化、構成の簡略化と経済化。特にＣＩＳ読取系に有効である。【解決手段】  原稿の流し読みができるＤＦにおいて、原稿をプラテンガラスからすくい上げ分離させる部材を省略するために、搬送ローラの下流から送風するＦＡＮと、その吹き出し口を持つガイド部材を設ける。原稿すくい上げ部材が不要となるため、通常のプラテンガラスの領域で流し読みが行える。【選択図】  図１
2005200152.tif 000002
【特許請求の範囲】
【請求項１】
画像読取手段を固定し、搬送される原稿の像を、原稿搬送中に読み取る原稿流し読みモードを備える画像読み取り装置において、
原稿をプラテンガラス上へ導いて、画像を流し読みするための原稿搬送手段を設け、
該原稿搬送手段には、原稿をプラテンガラスへの当接から分離させるための、ファンを備えたことを特徴とする画像読み取り装置。
【請求項２】
請求項１において、原稿をプラテンガラスへの当接から分離させた後に原稿を導く、ガイド部材を備え、
該ガイド部材と、プラテンガラスとの間に、ファンから送られる風の吹き出し口を備えたことを特徴とする画像読み取り装置。
【請求項３】
前記ガイド部材を、プラテンガラスに押圧する手段を備えたことを特徴とする第２項記載の画像読み取り装置。
【発明の詳細な説明】
【技術分野】
【０００１】
本発明は、複写機等の画像形成装置の装置本体、および画像読取装置に搭載される自動原稿給送装置に対して、流し読みモードを備えた原稿給送装置に係わる、プラテンガラスから原稿をすくい上げる手段に関するものである。
【背景技術】
【０００２】
従来、流し読みモードを備えた読み取り装置は種々提案されている。
【０００３】
図４は流し読みモードを備えた一般的な構成の原稿給送装置を備える画像読み取り装置の一例を示す概略断面図である。
【０００４】
２１は原稿流し読みモード時に使用する小のプラテンガラスであり、２０は原稿をマニュアル操作で載置固定し、読取光学系で走査するときに使用する大のプラテンガラスである。
【０００５】
原稿給送装置は、原稿トレイ１を有しており、原稿Ｐは原稿面を上向きにしてセットされる。原稿トレイ１に載置された原稿Ｐは、原稿給送装置の動作が開始されると、原稿分離手段６により原稿Ｐを１枚毎に分離して、下流にある小のプラテンガラス２１上の画像読取位置まで搬送される。小のプラテンガラス２１の上面に接するように搬送ローラ２が配設されており、搬送ローラ２の周面にはコロ３，４が当接している。
【０００６】
前記分離部から１枚ずつ搬送される原稿Ｐは、搬送ローラ２とコロ３の働きにより、搬送ローラ２と小のプラテンガラス２１との間に導かれる。その後、原稿Ｐはすくい上げ部材２２によりプラテンガラス２１から分離されて搬送ローラ２対へと導かれ、原稿圧板の上面に設けられた原稿排紙部上９に排出される。
【０００７】
原稿Ｐが、小のプラテンガラス２１上を搬送される間、キャリッジ１０は小のプラテンガラス２１の真下の位置に固定されている。
【０００８】
キャリッジ１０は、コンタクトイメージセンサ（以下ＣＩＳ）１７とフレーム１８で構成され、ＣＩＳ１７は押し当て部材１５によりプラテンガラスの裏面に押し当てられて固定されている。
【０００９】
ＣＩＳ７は原稿照明ランプ１１、反射笠１２、セルフォックレンズ１３、センサ基板１４とによって構成されている。
【００１０】
小のプラテンガラス２１の上面を搬送される原稿Ｐは、原稿照明ランプ１１と反射笠１２によって照明され、その画像はセルフォックレンズ１３によって結像され、結像面に配置されたセンサ基板１４上のセンサチップによって読み取られる。
【特許文献１】特開平０６−２６３２９０号公報（図２）
【発明の開示】
【発明が解決しようとする課題】
【００１１】
しかしながら、上記従来例では、原稿流し読み専用の小のプラテンガラス２１と、原稿固定読み取り用の大のプラテンガラス２０とを別々に並べて設ける必要があるため、原稿固定で読み取るだけの装置と比較して、原稿流し読みに必要とされるスペースが確実に必要となり、装置の大型化を余儀なくされている。また、小のプラテンガラス２１と大のプラテンガラス２０との間に、原稿をすくい上げるためのすくい手段２２を設ける必要があり、プラテンガラスの裏面をスライド部材１６を介してスライドするＣＩＳ用いた画像読み取り装置においては、原稿をマニュアル操作で載置固定し、読取光学系で走査するときに使用する大のプラテンガラス２０側に移動するためには、このすくい手段２２を乗り越えて図５に示しＬの様に移動する必要があり、乗り越えた衝撃により、先端ぶれ等の画像劣化を引き起こしていた。
【００１２】
すくい手段２２を廃止する手段として、特開平７−３１９２２９で搬送ローラ２の内部からファン３５を用いてエアーを吸引し、プラテンガラス２０から原稿Ｐを分離する手段が提案されているが、回転ローラの周面上に多数の吸引口３３を設ける必要があり、コスト高になる構成である。また、吸引力を制御することが困難で、安定した分離性を確保しにくい構成である。
【課題を解決するための手段】
【００１３】
上述の問題点を解決するために、本発明では、原稿をプラテンガラス上に導いて、画像を流し読みしたあと、原稿をプラテンガラスへの当接から分離するための分離部材を廃止し、原稿流し読みする部位を、原稿固定で読み取るために用意したプラテンガラスの一部とすることで、流し読み専用のプラテンガラスを廃止し、装置の小型化と、ＣＩＳを搭載したキャリッジのスライドを滑らかにし、画像劣化を防止できるようになる。
【発明の効果】
【００１４】
本発明により、画像を流し読みしたあとに、原稿をプラテンガラスへの当接から分離するための分離部材を廃止でき、
・小のプラテンガラスを廃止することにより、装置の小型化が可能となる
・ＣＩＳを搭載したキャリッジのスライドを滑らかにし、画像劣化を防止できるようになる
・従来提案されていたすくい手段よりも、プラテンガラスからの分離性が向上する
等の効果が上がった。
【発明を実施するための最良の形態】
【００１５】
図１は、本発明の第１の実施例を示し、原稿給紙装置を備える画像読み取り装置の概略断面図である。
【００１６】
２０は原稿をマニュアル操作で載置固定し、ＣＩＳ読取光学系で走査する場合と、原稿給送装置で原稿を給装し、ＣＩＳ読取光学系を固定する場合の二つのケースにおいて、共用するプラテンガラスである。
【００１７】
原稿給送装置は、原稿トレイ１を有しており、原稿Ｐは原稿面を上向きにしてセットされる。
【００１８】
原稿トレイ１に載置された原稿Ｐは、原稿給送装置の動作が開始されると、原稿分離手段６により原稿Ｐを１枚毎に分離して、下流にあるプラテンガラス２０上の画像読取位置まで搬送される。プラテンガラス２０の上面に接するように搬送ローラ２が配設されており、搬送ローラ２の周面にはコロ３，４が当接している。
【００１９】
前記分離部から１枚ずつ搬送される原稿Ｐは、搬送ローラ２とコロ３，４の働きにより、搬送ローラ２とプラテンガラス２０との間に導かれる。
【００２０】
搬送ローラ２の下流には、プラテンガラス２０の上面に当接したガイド部材７が配設されており、このガイド部材７の下面にはエアーが排出される吹き出し口７１が設けられている。吹き出し口７１から排出されるエアーは、原稿圧板の上面に設けられたファン８により送風される。ファン８より送風されるエアーを、できるだけ少ない損失で、安定した方向に排出するように、ガイド部材７は押し当て部材７２により、プラテンガラス方向に押圧されている。
【００２１】
ガイド部材７に設けられた吹き出し口７１に送られるエアーの流路は、風向を制御する手段であるリブやマイラ等のガイドにより確保される。
【００２２】
原稿Ｐが、プラテンガラス上を搬送される間、キャリッジ１０はプラテンガラス２０の真下の位置に固定されている。
【００２３】
キャリッジ１０は、ＣＩＳ１７とフレーム１８で構成され、ＣＩＳ１７は押し当て部材１５によりプラテンガラス２０の裏面に押し当てられて固定されている。
【００２４】
ＣＩＳ１７は原稿照明ランプ１１、反射笠１２、セルフォックレンズ１３、センサ基板１４とによって構成されている。
【００２５】
プラテンガラス２０の上面を搬送される原稿Ｐは、原稿照明ランプ１１と反射笠１２によって照明され、その画像はセルフォックレンズ１３によって結像され、結像面に配置されたセンサ基板１４上のセンサチップによって読み取られる。
【００２６】
搬送ローラ２を通過した原稿Ｐの先端は、プラテンガラス表面を流れてきたエアーにより揚力を受け、原稿Ｐをプラテンガラス２０への当接から分離する方向に持ち上げられる。持ち上げられた原稿Ｐは、ガイド部材７に突き当たり、そのまま搬送ローラ対５へと導かれ、原稿圧板の上面に設けられた原稿排紙部上９に排出される。
【００２７】
本発明により、特開平０７−３１９２２９で提案されている分離手段よりも、紙のコバからエアーを流し込み、原稿Ｐに揚力を与えた方が、原稿Ｐをプラテンガラスへの当接からの分離する分離性が向上する。
【００２８】
以上、説明したように、原稿給送装置において、原稿をプラテンガラス２０上へ導いて画像を流し読みするための原稿搬送手段に、原稿をプラテンガラス２０への当接から分離させるためのファン８を設けることにより、小のプラテンガラスと分離部材を廃止することができる。
【図面の簡単な説明】
【００２９】
【図１】本発明の実施例
【図２】本発明の実施例
【図３】本発明の実施例
【図４】従来例
【図５】従来例
【図６】従来例
【図１】
2005200152.tif 000003
【図２】
2005200152.tif 000004
【図３】
2005200152.tif 000005
【図４】
2005200152.tif 000006
【図５】
2005200152.tif 000007
【図６】
2005200152.tif 000008